(57)【要約】【課題】階段を、部品コスト、加工コストおよび組立コストを安く、安価に製造する。【解決手段】踏板11の端面に板状回止片15の内面が重ね合わされる。回止片15の外面に支柱12の側面が重ね合わされる。踏板11および回止片15の重ね合わせ面の一方に第１条溝38が、その他方に第１突条63がそれぞれ設けられる。回止片15および支柱11の重ね合わせ面の一方に第２条溝44が、その他方に第２突条64がそれぞれ設けられる。第１条溝38および第１突条63と、第２条溝44および第２突条64とがそれぞれはめ合わされ、この状態を保持しうるように踏板11、回止片15および支柱12が、１本のボルト71およびこれにねじはめられたナット72によって締付けられている。【選択図】図６
2008038397.tif 000002
【特許請求の範囲】
【請求項１】
踏板の端面に板状回止片の内面が重ね合わされ、回止片の外面に支柱の側面が重ね合わされ、踏板および回止片の重ね合わせ面の一方に第１条溝が、その他方に第１突条がそれぞれ設けられ、回止片および支柱の重ね合わせ面の一方に第２条溝が、その他方に第２突条がそれぞれ設けられ、第１条溝および第１突条と、第２条溝および第２突条とがそれぞれはめ合わされ、この状態を保持しうるように踏板、回止片および支柱が、１本のボルトおよびこれにねじはめられたナットによって締付けられている足場用階段。
【請求項２】
踏板の踏面を水平姿勢にした状態で、同踏面に対し支柱の側面が所定角度だけ傾斜させられるようになされており、回止片が、互いに平行にのびた一対の長辺部と、長辺部に対し同角度に対応して傾斜させられた一対の短辺部とを有しており、第１条溝が、踏板の端面上を踏板幅方向にのびており、両長辺部間の長さが、第１条溝の側面間の幅に対応するように形成されて、これが、第１突条を形成しており、第２条溝が、支柱の側面上をその長さ方向にのびており、両短辺部間の長さが、第２条溝の側面間の幅に対応するように形成されて、これが、第２突条を形成している請求項１に記載の足場用階段。
【請求項３】
請求項２に記載の回止片を製造するに際し、アルミニウム押出型材によって、両短辺部間の長さに対応する幅をもつ帯板状回止片素材を形成し、回止片素材を、その長さ方向に対して支柱側面の傾斜角度に対応する角度だけ傾斜させて、両長辺部間の幅に等しい長さ毎に切断する足場用階段の製造方法。
【発明の詳細な説明】
【技術分野】
【０００１】
この発明は、例えば、建築作業現場で組立てられる足場に用いられる階段に関する。
【背景技術】
【０００２】
この種の階段としては、踏板と、これを支持するための支柱とを組立固定するに際し、
踏板の端面に支柱の側面を重ね合わせて、これを、２つずつのボルトおよびナットによって締め付けるようにしているものが知られている（例えば、特許文献１参照。）。
【０００３】
上記階段では、踏板および支柱を組立てるために、２組のボルトおよびナットを用いている。そのために、つぎのような問題点がある。第１に、ボルトおよびナットの部品点数が多く、部品コストが高い。第２に、ボルトおよびナットの締付構造にするための加工コストが高い。第３に、組立工程に時間が掛かり、組立コストが高い。
【特許文献１】特開２００５−１２６９３６号公報
【発明の開示】
【発明が解決しようとする課題】
【０００４】
この発明の目的は、上記問題点を解決し、部品コスト、加工コストおよび組立コストが安く、安価に製造しうる階段およびその製造方法を提供することにある。
【課題を解決するための手段】
【０００５】
この発明による足場用階段は、踏板の端面に板状回止片の内面が重ね合わされ、回止片の外面に支柱の側面が重ね合わされ、踏板および回止片の重ね合わせ面の一方に第１条溝が、その他方に第１突条がそれぞれ設けられ、回止片および支柱の重ね合わせ面の一方に第２条溝が、その他方に第２突条がそれぞれ設けられ、第１条溝および第１突条と、第２条溝および第２突条とがそれぞれはめ合わされ、この状態を保持しうるように踏板、回止片および支柱が、１本のボルトおよびこれにねじはめられたナットによって締付けられているものである。
【０００６】
この発明による足場用階段では、踏板および支柱の組立に際し、第１条溝および第１突条と、第２条溝および第２突条とをそれぞれはめ合せ、踏板、回止片および支柱を、１組のボルトおよびナットによって締付ければよい。組立のために必要なボルトおよびナットは１組でよいから、部品コストが安い。１組のボルトおよびナットの組立コストも安くて済む。
【０００７】
さらに、踏板の踏面を水平姿勢にした状態で、同踏面に対し支柱の側面が所定角度だけ傾斜させられるようになされており、回止片が、互いに平行にのびた一対の長辺部と、長辺部に対し同角度に対応して傾斜させられた一対の短辺部とを有しており、第１条溝が、踏板の端面上を踏板幅方向にのびており、両長辺部間の長さが、第１条溝の側面間の幅に対応するように形成されて、これが、第１突条を形成しており、第２条溝が、支柱の側面上をその長さ方向にのびており、両短辺部間の長さが、第２条溝の側面間の幅に対応するように形成されて、これが、第２突条を形成していると、踏板、回止片および支柱をアルミニウム押出型材によって形成するようにすれば、第１および第２条溝並びに第１および第２突条のための機械加工が不要とすることが可能であり、１組のボルトおよびナットの締付構造にするための加工コストが安い。したがって、部品コストおよび組立コストが安いことと相俟って、階段を安価に製造することができる。
【０００８】
この発明による足場用階段の製造方法は、上記回止片を製造するに際し、アルミニウム押出型材によって、両短辺部間の長さに対応する幅をもつ帯板状回止片素材を形成し、回止片素材を、その長さ方向に対して支柱側面の傾斜角度に対応する角度だけ傾斜させて、両長辺部間の幅に等しい長さ毎に切断するものである。
【０００９】
この発明による足場用階段の製造方法では、回止片を得るために回止片素材を切断する角度調節を容易に行うことができ、踏板および支柱相互の角度の変更を容易に行うことができる。
【発明の効果】
【００１０】
この発明によれば、部品コスト、加工コストおよび組立コストが安く、安価に製造しうる階段およびその製造方法を提供することができる。
【発明を実施するための最良の形態】
【００１１】
この発明の実施の形態を図面を参照しながらつぎに説明する。
【００１２】
以下の説明において、前後とは、階段を正面側（図１の左斜め手前側）から見て、手前側を前、これと反対側を後といい、左右とは、前方から見て、その左右の側を左右というものとする。
【００１３】
図１を参照すると、上段足場Ｈおよび下段足場Ｌに掛け止められた階段が示されている。
【００１４】
階段は、５段の踏板11と、これらの踏板11を左右両側から挟んでいる互いに平行にのびた前下り傾斜状左右支柱12と、両支柱12の上端および下端にそれぞれ固定されている掛止め用上下フック13、14と、各踏板11の左右両端面と、各踏板11と左右対応する側の支柱12の側面との間に介在させられている全部で１０個の回止片15とを備えている。
【００１５】
階段は、左右対象のものである。以下、左支柱12およびその周辺部について説明する。
【００１６】
踏板11は、下方を開放した扁平方形箱形状踏板本体21と、踏板本体21の左端部にそれぞれ被覆されている横断面コ字状端部カバー22とを備えている。踏板本体21および端部カバー22は、いずれも、アルミニウム押出型材製のものである。
【００１７】
踏板本体21は、平板状頂壁31と、これの両縁部にそれぞれ連なって垂下中空状前後両側壁32とを備えている。頂壁31下面前後方向中央部には、下端の一部を切欠いて左右方向にのびた垂下水平状ボルト挿入筒33が設けられている。ボルト挿入筒33の左右両端面寄りのカ所には、下方開放ナット挿入切欠34がそれぞれ形成されている。
【００１８】
端部カバー22は、踏板本体21の端面に当接させられた垂直板状端壁35と、端壁35の上下縁部から踏板本体21の上下両面側にそれぞれ屈曲させられている水平状頂壁36および底壁37とを備えている。
【００１９】
端壁35外面には第１条溝38が左向きに形成されている。第１条溝38は、端壁35外面のほぼ全体を占めかつ端壁35外面の全長にわたって端壁35外面の長さ方向にのびている。第１条溝38の底壁には第１ボルト孔39がボルト挿入筒33と同心状に形成されている。
【００２０】
支柱12は、アルミニウム押出型材によって開口側を左に向けた横断面コ字状に形成されたもので、垂直状側壁41と、側壁41の上下両縁部にそれぞれ連なる前下り傾斜状頂壁42および底壁43とを備えている。
【００２１】
側壁41外面には第２条溝44が右向きに形成されている。第２条溝44は、側壁41外面のほぼ全体を占めかつ側壁41外面の全長にわたって側壁41外面の長さ方向にのびている。第２条溝44底壁の両縁部に近接してこれと平行に、一対の補強リブ45が設けられている。第２条溝44底壁幅方向中央部には第２ボルト孔46が第１ボルト孔39と同心状に形成されている。
【００２２】
回止片15は、アルミニウム押出型材によって細長い四角形の垂直板状に形成されたものである。回止片15の左面側は、第１条溝38に、その右面側は第２条溝44にそれぞれはめ入れられている。回止片15の長さおよび幅方向中央には第３ボルト孔51が第１および第２ボルト孔39、46と同心状に形成されている。回止片15の第３ボルト孔51の両側には薄肉部52が設けられている。回止片15の左右両面は同一形状に形成されている。回止片15の左右両面の両縁部近くには、両補強リブ45をそれぞれはめ入れた一対の逃し溝53が形成されている。
【００２３】
図５を参照しながら、回止片15について詳細に説明すると、回止片15は、互いに平行にのびた一対の長辺部61と、長辺部61に対し角度θだけ傾斜させられた一対の短辺部62とを有している。短辺部62の傾斜角度θは、支柱12の傾斜角度に対応している。両長辺部61間の長さＡは、第１条溝38の側面間の幅に対応するように形成されて、これが、第１突条63を形成している。一方、両短辺部62間の長さＢは、第２条溝44の側面間の幅に対応するように形成されて、これが、第２突条64を形成している。
【００２４】
ボルト71が第２ボルト孔46、第３ボルト孔51および第１ボルト孔39に順次通されて、その先端ねじ部がボルト挿入筒33に挿入され、切欠34に待機させておいたナット72にねじ入れられている。これにより、踏板11、支柱12および回止片15の３者が一緒にボルト71およびナット72によって締付けられている。
【００２５】
以上のようにして、組立てられた状態で、踏板11の端面とこれと相対させられた支柱12の側面間には間隙Ｃが生じさせられている。これは、第１条溝38および第２条溝44の深さを合わせた深さよりも、回止片15の厚みが大であることによるものである。
【００２６】
階段を収納する場合、通常、図７に示すように、複数の階段が上下に重ね合わされる。この場合、上下隣り合う階段において、上の階段の踏板11の下部が下の階段の両支柱12の間に入り込み、下の階段の踏板11の上部が上の階段の両支柱12の間に入り込むようにすると、複数の階段をコンパクトに収容できる。このときに、上記した隙間Ｃが役立つことになって、両支柱12間に踏板11を入り込ませ易くなる。
【００２７】
図８は、回止片15の製造過程を示すものである。まず、帯板状回止片素材Ｗを押出成形する。回止片素材Ｗの幅は、回止片15の両短辺間の長さＢと一致している。ついで、回止片素材Ｗを回止片15の両長辺間の長さＡ毎に切断して、回止片15を得る。切断角度θ1、θ2を変更することは容易である。このときの切断角度θ1、θ2は、図９に示すように、そのまま支柱12の傾斜角度になる。
【００２８】
上記において、回止片15の全体がそのまま第１および第２突条63、64を形成するように構成されているが、第１および第２突条63、64は、回止片15の一部に構成するようにしてもよい。第１および第２突条63、64のうち、第２突条64は、型材の押出時に形成することができるため、回止片15の一部に容易に形成しうる。
【図面の簡単な説明】
【００２９】
【図１】この発明による階段の斜視図である。
【図２】同階段の一部拡大断面図である。
【図３】図２のIII−III線にそう断面図である。
【図４】図２のIV−IV線にそう断面図である。
【図５】同階段の回止片の側面図である。
【図６】図２に示す部分の分解斜視図である。
【図７】同階段の収納状態説明図である。
【図８】同回止片の製造工程説明図である。
【図９】同製造工程で製造された回止片を使用した階段の説明図である。
【符号の説明】
【００３０】
11  踏板
12  支柱
15  回止片
38  第１条溝
44  第２条溝
63  第１突条
64  第２突条
71  ボルト
72  ナット
【図１】
2008038397.tif 000003
【図２】
2008038397.tif 000004
【図３】
2008038397.tif 000005
【図４】
2008038397.tif 000006
【図５】
2008038397.tif 000007
【図６】
2008038397.tif 000008
【図７】
2008038397.tif 000009
【図８】
2008038397.tif 000010
【図９】
2008038397.tif 000011